(57)【特許請求の範囲】
【請求項１】
不透明ディスプレイ領域に対応する第１パネル領域および透明ディスプレイ領域に対応する第２パネル領域を含むディスプレイパネル部と、
前記第１パネル領域および前記第２パネル領域を独立して駆動するためのパネル駆動部と、
前記不透明ディスプレイ領域にメイン映像をディスプレイし、前記透明ディスプレイ領域に付加映像をディスプレイするように制御する制御部とを含み、
前記第１パネル領域は、前記ディスプレイパネル部の中央領域であり、
前記第２パネル領域は、前記中央領域を除く周辺領域であり、
前記パネル駆動部は、表示する前記メイン映像が存在しない場合、前記付加映像を前記透明ディスプレイ領域に表示する間前記第１パネル領域はターンオフさせ、表示する前記付加映像が存在しない場合、前記メイン映像を前記不透明ディスプレイ領域に表示する間前記第２パネル領域はターンオフさせ、
前記ディスプレイパネル部は、
第１パネル部と、
前記第１パネル部の周縁領域に配置され、透明度調節が可能な第２パネル部とを含み、
前記第１パネル領域は前記第１パネル部に対応する領域であり、前記第２パネル領域は前記第２パネル部が透明に調節された領域である
ことを特徴とするディスプレイ装置。
【請求項２】
不透明ディスプレイ領域に対応する第１パネル領域および透明ディスプレイ領域に対応する第２パネル領域を含むディスプレイパネル部と、
前記第１パネル領域および前記第２パネル領域を独立して駆動するためのパネル駆動部と、
前記不透明ディスプレイ領域にメイン映像をディスプレイし、前記透明ディスプレイ領域に付加映像をディスプレイするように制御する制御部とを含み、
前記第１パネル領域は、前記ディスプレイパネル部の中央領域であり、
前記第２パネル領域は、前記中央領域を除く周辺領域であり、
前記パネル駆動部は、表示する前記メイン映像が存在しない場合、前記付加映像を前記透明ディスプレイ領域に表示する間前記第１パネル領域はターンオフさせ、表示する前記付加映像が存在しない場合、前記メイン映像を前記不透明ディスプレイ領域に表示する間前記第２パネル領域はターンオフさせ、
前記ディスプレイパネル部は、
第１パネル部と、
前記第１パネル部の背面に配置され、透明度調節が可能な第２パネル部とを含み、
前記第１パネル領域は前記第２パネル部が不透明に調節された領域であり、前記第２パネル領域は前記第２パネル部が透明に調節された領域である
ことを特徴とするディスプレイ装置。
【発明の詳細な説明】
【技術分野】
【０００１】
本発明は、ディスプレイ装置に関し、より詳細には、付加映像を表示することができるディスプレイ装置に関する。
【背景技術】
【０００２】
デジタル技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化され、３Ｄコンテンツの提供等、従来にはない新たな機能を備えた製品が登場しつつある。
【０００４】
特に、最近では、単なる映像視聴だけでなく、インターネットやＳＮＳ（Ｓｏｃｉａｌ  Ｎｅｔｗｏｒｋ  Ｓｅｒｖｉｃｅ）、ゲーム、ビデオチャット、ウィジェット等のディスプレイ装置を通じて多様なコンテンツを提供するための取り組みが続いている。しかし、このような多様なコンテンツをディスプレイ画面に提供する場合、視聴者の映像視聴を妨害してユーザの集中を妨げかねないし、ユーザがディスプレイ装置を利用する場合、その操作方法に慣れないため、戸惑ってしまうという場合があり得る。
【０００５】
よって、映像視聴を妨害することなく、多様なコンテンツを同時に提供し、ユーザがディスプレイ装置を容易かつ直観的に制御できるようにする方策が求められる。
【先行技術文献】
【特許文献】
【０００６】
【特許文献１】韓国特開第２０１１−０１３１５７６号公報
【発明の概要】
【発明が解決しようとする課題】
【０００７】
そこで、本発明は、上記問題に鑑みてなされたものであり、本発明の目的とするところは、ユーザの要求および目的に応じて多様なコンテンツを提供し、状況に応じて適切なユーザ命令を誘導できるディスプレイ装置を提供することにある。
【課題を解決するための手段】
【０００８】
以上のような目的を達成するための本発明の一実施形態に係るディスプレイ装置は、不透明ディスプレイ領域に対応する第１パネル領域および透明ディスプレイ領域に対応する第２パネル領域を含むディスプレイパネル部と、前記第１パネル領域および前記第２パネル領域を独立して駆動するためのパネル駆動部と、前記不透明ディスプレイ領域にメイン映像をディスプレイし、前記透明ディスプレイ領域に付加映像をディスプレイするように制御する制御部とを含む。
【０００９】
ここで、前記第１パネル領域は、前記ディスプレイパネル部の中央領域であり、前記第２パネル領域は、前記中央領域を除く周縁領域であってよい。
【００１０】
なお、前記パネル駆動部は、前記第１パネル領域を駆動するための第１パネル駆動部と、前記第２パネル領域を駆動するための第２パネル駆動部とを含んでよい。
【００１１】
そして、上記メイン映像を信号処理して、前記第１パネル領域に提供する第１信号処理部と、前記付加映像を信号処理して、前記第２パネル領域に提供する第２信号処理部戸を更に含んでよい。
【００１２】
そして、前記付加映像は、予め設定されたウィジェットと、予め設定されたアイコンと、予め設定されたグラフィック効果と、前記メイン映像に関連する映像と、前記メイン映像に関連する付加情報および前記メイン映像に関連するグラフィック効果のうち、少なくともいずれか一つを含んでよい。
【００１３】
一方、前記ディスプレイパネル部は、第１パネル部と、前記第１パネル部の周縁領域に配置され、透明度調節が可能な第２パネル部とを含んでよく、前記第１パネル領域は前記第１パネル部に対応する領域であり、前記第２パネル領域は前記第２パネル部が透明に調節された領域であってよい。
【００１４】
または、前記ディスプレイパネル部は、第１パネル部と、前記第１パネル部の背面に配置され、透明度調節が可能な第２パネル部とを含んでよく、前記第１パネル領域は前記第２パネル部が不透明に調節された領域であり、前記第２パネル領域は前記第２パネル部が透明に調節された領域であってよい。
【発明の効果】
【００１５】
以上説明したように、本発明によれば、ユーザは映像視聴を妨害することなく、多様なコンテンツの提供を受けることができ、ディスプレイ装置を容易かつ直観的に制御することができるようになる。
【図面の簡単な説明】
【００１６】
【図１】本発明の一実施形態に係るディスプレイ装置の構成を示すブロック図である。
【図２】ディスプレイパネル部およびパネル駆動部の細部構成を示すブロック図である。
【図３】本発明の一実施形態に係るディスプレイパネル部の構造を説明するための図である。
【図４】透明度調節が可能な第２パネル部の細部構成を説明するための図である。
【図５】透明度調節が可能な第２パネル部の細部構成を説明するための図である。
【図６】領域別に透明度調節が可能な第２パネル部を説明するための図である。
【図７】第２パネル領域にバックライトを提供する方法を説明するための図である。
【図８】本発明の別の実施形態に係るディスプレイ装置の構成を示すブロック図である。
【図９】信号処理部の細部構成を説明するためのブロック図である。
【図１０】本発明の一実施形態に係る遠隔制御装置の構造を示す図である。
【図１１】本発明の別の実施形態に係る遠隔制御装置の構造を示す図である。
【図１２】第２パネル領域にメイン映像に関連するグラフィック効果を表示する動作を説明するための図である。
【図１３】第２パネル領域にグラフィック効果を表示する動作を説明するための図である。
【図１４】第２パネル領域にメイン映像に関連する映像を表示する動作を説明するための図である。
【図１５】第２パネル領域に予め設定されたウィジェットまたは予め設定されたグラフィック効果を表示する動作を説明するための図である。
【図１６】第２パネル領域にメイン映像のうちの一部を表示する動作を説明するための図である。
【図１７】第２パネル領域にメイン映像に関連する付加情報を表示する動作を説明するための図である。
【図１８】第２パネル領域にメイン映像に関連する付加情報を表示する動作を説明するための図である。
【図１９】第２パネル領域にメイン映像に関連する付加情報を表示する動作を説明するための図である。
【図２０】第２パネル領域にコンテンツリストを表示する動作を説明するための図である。
【図２１】第２パネル領域にコンテンツリストを表示する動作を説明するための図である。
【図２２】第２パネル領域のうち（ｂ）領域および（ｃ）領域に付加情報が表示される動作を具体的に説明するための図である。
【図２３】第２パネル領域のうち（ｂ）領域および（ｃ）領域に付加情報が表示される動作を具体的に説明するための図である。
【図２４】第１パネル領域に表示されるメイン映像が別のコンテンツに変更される動作を説明するための図である。
【図２５】第１パネル領域に表示されるメイン映像がメイン映像に関連する付加情報に変更される動作を説明するための図である。
【図２６】第２パネル領域を通じてビデオチャットを行う動作を説明するための図である。
【図２７】映像の特性に対応するサウンドモードを提供し、第２パネル領域にグラフィック効果を表示する動作を説明する図である。
【発明を実施するための形態】
【００１７】
以下に添付図面を参照しながら、本発明の好適な実施形態について詳細に説明する。
【００１８】
図１は、本発明の一実施形態に係るディスプレイ装置の構成を示すブロック図である。図１に示すように、ディスプレイ装置１００は、ディスプレイパネル部１１０と、パネル駆動部１２０および制御部１３０を含む。
【００１９】
ディスプレイパネル部１１０は、パネル駆動部１２０によって駆動されて映像をディスプレイする。そして、ディスプレイパネル１１０は、不透明ディスプレイ領域に対応する第１パネル領域および透明ディスプレイ領域に対応する第２パネル領域を含んでよい。
【００２０】
パネル駆動部１２０は、制御部１３０の制御に従ってディスプレイパネル部１１０を駆動する。具体的に、パネル駆動部１２０は、ディスプレイパネル部の第１パネル領域および第２パネル領域を独立して駆動することができる。
【００２１】
制御部１３０は、ディスプレイ装置１００の動作全般を制御する。特に、制御部１３０は、パネル駆動部１２０を制御してディスプレイパネル部１１０に映像が表示されるようにすることができる。具体的に、制御部１３０は、不透明ディスプレイ領域（第１パネル領域）にメイン映像をディスプレイし、透明ディスプレイ領域（第２パネル領域）にメイン映像または付加映像をディスプレイするように制御してよい。
【００２２】
図２ないし図７を参照して、ディスプレイパネル部１１０およびパネル駆動部１２０についてより詳細に説明する。
【００２３】
図２は、ディスプレイパネル部およびパネル駆動部の細部構成を示すブロック図である。図２に示すように、ディスプレイパネル部１１０は、第１パネル領域１１１および第２パネル領域１１２を含んでよい。第１パネル領域１１１は不透明ディスプレイ領域であり、第２パネル領域１１２は透明ディスプレイ領域に該当する。
【００２４】
一方、パネル駆動部１２０は、第１パネル駆動部１２１および第２パネル駆動部１２２を含む。第１パネル駆動部１２１は第１パネル領域１１１を駆動し、第２パネル駆動部１２２は第２パネル領域１１２を駆動してよい。それにより、第１パネル領域および第２パネル領域のうち、映像を表示していない領域に対しては電源をオフさせて電力を低減させることができる。一方、図２においては、パネル駆動部１２０が複数のパネル駆動部で実現され、第１パネル領域および第２パネル領域を各々駆動するものとして説明したが、パネル駆動部１２０は第１パネル領域および第２パネル駆動部を各々独立して駆動する一つのパネル駆動部で実現されてよい。
【００２５】
図３は、本発明の一実施形態に係るディスプレイパネル部の構造を説明するための図である。図３に示すように、第１パネル領域１１１はディスプレイパネル部の中央領域であり、第２パネル領域１１２は中央領域を除く周縁領域である。ただ、それは一実施形態に過ぎず、第１パネル領域および第２パネル領域の位置は、多様に実現されてよい。不透明ディスプレイ領域に対応する第１パネル領域１１１はメイン映像をディスプレイし、透明ディスプレイ領域に対応する第２パネル領域１１２はメイン映像または付加映像をディスプレイすることができる。付加映像とは、予め設定されたウィジェットと、予め設定されたアイコンと、予め設定されたグラフィック効果と、メイン映像に関連する映像と、メイン映像に関連する付加情報およびメイン映像に関連するグラフィック効果のうち、少なくともいずれか一つを含んでよい。
【００２６】
第２パネル領域１１２のうちの（ａ）領域は、ユーザがディスプレイ画面を視聴する途中にユーザに提供される一時的サービスおよび機能を表示するための領域である。例えば、ユーザがコンテンツを視聴する途中に、他のユーザによってビデオチャットに招待されると、ビデオチャットサービスを提供したり、ＳＮＳ（Ｓｏｃｉａｌ  Ｎｅｔｗｏｒｋ  Ｓｅｒｖｉｃｅ）に新たなメッセージが登録されると、それを報知したり、映画を視聴する場合は字幕を提供したり、視聴するコンテンツに関連するグラフィック効果を表示するサービス等を提供することができる。
【００２７】
第２パネル領域１１２のうちの（ｂ）の領域は、コンテンツまたはユーザ経験に関連する付加情報を表示するための領域である。例えば、ユーザがサッカー試合を視聴している場合、サッカー試合に出場しているチーム情報、サッカーリーグに関するニュース、サッカー試合に出場している選手に関する情報、ユニフォームおよびサッカーシューズ等のような商品に対する情報等を提供することができる。
【００２８】
第２パネル領域１１２のうちの（ｃ）領域は、ユーザ所望のコンテンツに容易にアクセスすることができるようにコンテンツリストを表示するための領域である。コンテンツリストは、一般の放送チャネルだけでなく、ＳＮＳやインターネット、ゲーム等の多様なコンテンツを含むことができる。
【００２９】
以上のように、メイン映像および付加映像を別個の領域に分離して表示することにより、視聴者はコンテンツに含まれた付加情報が含まれていない従来のメイン映像の提供を受けることができ、各種付加映像を直観的かつ便利に提供されてよい。
【００３０】
図３によると、（ａ）領域と（ｂ）領域、（ａ）領域と（ｃ）領域は、物理的には互いに重複する領域に該当するが、コンテンツの種類および状況に応じて別個に運営されてよい。
【００３１】
一方、ディスプレイパネル部１１０の第１パネル領域１１１および第２パネル領域１１２は実施形態に応じて多様の方式で実現されてよい。以下では、第１パネル領域１１１および第２パネル領域１１２の細部構造を実施形態別に分けて説明する。
【００３２】
＜第１実施形態＞
第１実施形態によると、ディスプレイパネル部１１０は不透明な第１パネル領域１１１に対応する第１パネル部および第２パネル領域１１２に対応する第２パネル部を含む。第１パネル部は、一般のＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ  Ｅｍｉｔｔｉｎｇ  Ｄｉｏｄｅ）で実現されてよい。そして、第２パネル部は透明ＬＣＤまたは透明ＯＬＥＤで実現されてよい。透明ＬＣＤとは、一般のＬＣＤからバックライトユニットを除去し、透明電極等を使用して実現したＬＣＤを意味し、透明ＯＬＥＤとは、透明な有機発光層および透明電極を用いて実現したＯＬＥＤを意味する。一方、第１パネル部および第２パネル部が同一の種類のパネルで実現される場合、ディスプレイパネル部１１０は物理的に一つのパネルで実現されてよい。
【００３３】
＜第２実施形態＞
第２実施形態によると、ディスプレイパネル部１１０は不透明な第１パネル領域１１１に対応する第１パネル部および第２パネル領域１１２に対応して透明度調節が可能な第２パネル部を含む。第１パネル部は、第１実施形態と同様、一般のＬＣＤ（ Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ  Ｅｍｉｔｔｉｎｇ  Ｄｉｏｄｅ）で実現されてよい。そして、第２パネル部は、透明度を調節するために、二つのパネルを用いて実現されてよい。図４および図５を参照してより詳細に説明する。
【００３４】
図４および図５は、透明度調節が可能な第２パネル部の細部構成を説明するための図である。図４を参照すると、第２パネルは第１パネル５および第２パネル１０を含む。第１パネル５は、映像を表示するためのパネルとして、透明ＬＣＤまたは透明ＯＬＥＤで実現されてよい。第２パネル１０は、第２パネル部の透明度を調節するためのパネルとして、第１パネル１０の背面に配置され、透明ＬＣＤまたはＥＷＤ（Ｅｌｅｃｔｒｏｎｉｃ  Ｗｅｔｔｉｎｇ  Ｄｉｓｐｌａｙ）で実現されてよい。第２パネル１５は、透明な状態から黒の不透明な状態までに透明度を調節することができる。第２パネル１５は、透明度を調節するためのパネルでカラーを実現する必要がないため、カラーフィルタを省略することができる。図５は、第２パネル１５が不透明な状態に調節された場合の第２パネル部を示す。一方、第１パネル部および第２パネル部の第１パネルが同じ種類のパネルで実現される場合、第１パネル部および第１パネルは物理的に一つのパネルで実現されてよい。
【００３５】
図６は、領域別に透明度調節が可能な第２パネル部を説明するための図である。図６に示すように、第２パネル部は領域別に透明度を異なるように調節することができる。具体的に、第２パネル部の構成中の透明度を調節するための第２パネル１５をピクセル単位または複数のピクセルを含むピクセルグループ単位で独立して駆動して領域別に透明度を異なるように調節することができる。
【００３６】
図７は、第２パネル領域にバックライトを提供する方法を説明するための図である。第１パネル領域１１１に対応する第１パネル部がＬＣＤで実現され、第２パネル領域１１２に対応する第２パネル部の第１パネル１０が透明ＬＣＤで実現される場合、第１パネル部のバックライトユニット２０をエッジタイプで実現し、エッジタイプのバックライトユニットが第１パネル１０にもバックライトを提供するように設計することができる。それにより、第２パネル１５が不透明な状態でも第１パネル１０にバックライトを供給することができるようになる。
【００３７】
＜第３実施形態＞
第３実施形態によると、ディスプレイパネル部１１０の全領域が透明度を調節することができるパネルで実現されてよい。すなわち、ディスプレイパネル部１１０は、映像を表示するための第１パネル１０および第１パネルの背面に配置されてディスプレイパネル部１１０の透明度を調節する第２パネル１５を含んでよく、第２実施形態と違って、第２パネル１５はディスプレイパネル部１１０の全領域に位置する。第２パネル１５は第２パネルの各領域別に透明度を異なるように調節することができる。ディスプレイパネル部１１０の第１パネル領域１１１は第２パネル１５が不透明に調節された領域に対応し、第２パネル領域１１２は第２パネル１５が透明に調節された領域に対応されてよい。例えば、第２パネル１５は中央領域は不透明に調節し、中央領域を除く周縁領域は透明に調節することができる。
【００３８】
図８は、本発明の別の実施形態に係るディスプレイ装置の構成を示すブロック図である。ディスプレイ装置１００は、ディスプレイパネル部１１０と、パネル駆動部１２０および制御部１３０の他に、受信部１４０と、保存部１５０および信号処理部１６０を更に含んでよい。
【００３９】
受信部１４０は、コンテンツを受信する。具体的に、受信部は放送網またはインターネット網を用いてコンテンツを受信することができる。なお、ディスプレイ装置１００内に設けられたり、ディスプレイ装置１００に接続された各種記録媒体再生装置からコンテンツを受信することもできる。記録媒体再生装置とは、ＣＤやＤＶＤ、ハードディスク、ブルーレイディスク、メモリカード、ＵＳＢメモリ等のような多様な記録媒体に保存されたコンテンツを再生する装置を意味する。
【００４０】
保存部１５０は、ディスプレイ装置１００において実行、再生または表示可能な各種アプリケーションやコンテンツおよびグラフィック効果等を保存する。
【００４１】
信号処理部１６０は、受信部１４０から受信されたり、保存部１５０に保存されたコンテンツに対して信号処理を行う。信号処理部１６０は、コンテンツに含まれたビデオデータ、オーディオデータおよび付加データを分離するためのデマルチプレクサ（図示せず）と、デマルチプレクサで分離された各々のデータを処理する映像処理部（図示せず）、オーディオ処理部および付加データ処理部等を含んでよい。
【００４２】
信号処理部１６０は、第１パネル領域および第２パネル領域に表示される映像を独立に処理することができる。具体的に、コンテンツ内にメイン映像および付加映像が同時に含まれたり、第１パネル領域１１１に表示される映像と第２パネル領域１１２に表示される映像とが、それぞれ異なるソースから受信された場合、各々の映像を処理するための複数の映像処理部を含んでよい。図９を参照してより具体的に説明する。
【００４３】
図９は、信号処理部の細部構成を説明するためのブロック図である。図９に示すように、信号処理部１６０は第１映像処理部１６１および第２映像処理部１６２を含む。第１映像処理部１６１は、メイン映像を処理する。そして、第１パネル駆動部１２１は、制御部１３０の制御に従って第１映像処理部１６１で処理された映像を表示するように第１パネル領域１１１を駆動することができる。そして、第２パネル駆動部１２２は、制御部１３０の制御に従って第２映像処理部１６２で処理された映像を表示するように第２パネル領域１１２を駆動することができる。一方、コンテンツに含まれた字幕等の付加データは、付加データ処理部で処理された後、第２映像処理部１６２で処理された映像とレンダリングされて第２パネル領域１１２に表示されてよい。
【００４４】
一方、信号処理部１６０は、コンテンツ内に連続して含まれたテキスト、イメージ等を抽出して、第２パネル領域に表示されるようにすることができる。例えば、サッカー試合で各映像フレームに繰り返し表示されるスコアまたは各々の放送チャネルを表すためのロゴ等をメイン映像に分離して第２パネル領域に表示されるようにすることができる。
【００４５】
図１０は、本発明の一実施形態に係る遠隔制御装置の構造を示す図である。図１０（ａ）のように、遠隔制御装置２００は、第１レイヤ２１０および第１レイヤ２１０の下部に配置される第２レイヤ２２０を含む。第１レイヤ２１０の前面部はタッチパッドのような入力装置で実現されたり、ディスプレイ画面を表示できるようにタッチスクリーンで実現されてよい。そして、第１レイヤ２１０は、第２レイヤ２２０上に予め設定された間隔だけ左右に移動可能である。第１レイヤ２１０が第２レイヤの左側に移動する動作は、図３の第２パネル領域のうちの（ｂ）領域を制御したり対応するコンテンツを表示するための動作に該当することができ、第２レイヤ２２０の右側に移動する動作は、第２パネル領域のうちの（ｃ）領域を制御したり対応するコンテンツを表示するための動作に該当することができる。例えば、ユーザが遠隔制御装置２００の第１レイヤ２２０を右側に移動させた場合、第２パネル領域の（ｃ）領域にコンテンツリストが表示されてよい。
【００４６】
図１０（ｂ）は、第１レイヤ２１０が第２レイヤ２２０の左方に予め設定された間隔だけ移動した状態を示す。第１レイヤ２１０が移動されて第２レイヤ２２０と不一致となった領域２５は、第２パネル領域の（ｂ）領域を制御するための領域として利用されてよい。ユーザは、第１レイヤの不一致領域２５をタッチすることにより、第２パネル領域のうちの（ｂ）領域に表示されたコンテンツ等を制御することができる。
【００４７】
図１０（ｃ）は、図１０（ｂ）において第１レイヤ２１０が第２レイヤ２２０と一致するように元の状態に移動された状態を示す。第１レイヤ２１０が元の状態に移動することにより、第２パネル領域の（ｂ）領域に表示されていた映像が消えることができる。
【００４８】
図１１は、本発明の別の実施形態に係る遠隔制御装置の構造を示す図である。図１１によると、遠隔制御装置２００の前面部をディスプレイ装置１００のディスプレイパネル部１１０と類似する模様で実現してよい。
【００４９】
遠隔制御装置２００の前面部は、図１０でのように、タッチパッドまたはタッチスクリーンで実現されてよい。ユーザは、遠隔制御装置２００の前面部に表示された枠３０の内部から外部へのドラッグすることにより、第２パネル領域のうちの（ｂ）または（ｃ）領域を制御したり、対応するコンテンツを表示することができる。
【００５０】
一方、図１０および図１１に示す遠隔制御装置２００がタッチスクリーンで実現された場合、状況に適したユーザ入力を誘導するためのオブジェクト等を表示したり、ディスプレイ装置１００に表示されるコンテンツを受信してディスプレイすることもできる。
【００５１】
以下においては、本発明の一実施形態に係るディスプレイ装置１００に適用され得る多様なシナリオについて説明する。図１２ないし図２１は、本発明の一実施形態に係るディスプレイ装置でディスプレイされ得る多様な映像、コンテンツおよび情報を説明するための図である。
【００５２】
図１２は、第２パネル領域にメイン映像に関連するグラフィック効果を表示する動作を説明するための図である。ディスプレイ装置１００は、第１パネル領域１１１にはメイン映像が表示され、第２パネル領域１１２にはメイン映像に関連するグラフィック効果を表示することができる。図１２（ａ）を参照すると、第１パネル領域１１１には、木と雲の含まれたメイン映像がディスプレイされている。一方、第２パネル映像１１２には、メイン映像に含まれた木および雲と類似しているグラフィック効果がディスプレイされてよい。図１２（ｂ）を参照すると、第１パネル領域１１１には、怪獣が火を噴いて建物が燃えている場面がディスプレイされており、第２パネル領域１１２には、メイン映像に含まれた火と類似しているグラフィック効果がディスプレイされてよい。その他にも、第１パネル領域１１１に飛行機を操縦する映像がディスプレイされている場合、第２パネル領域１１２にスピード感が感じられるグラフィック効果が表示されたり、第１パネル領域１１１に波打つ映像がディスプレイされると、第２パネル領域１１２に波と類似しているグラフィック効果を表示することもできる。このように、第２パネル領域にメイン映像に関連するグラフィック効果をディスプレイすることにより、メイン映像に対する集中度を高めることができる。
【００５３】
図１３は、第２パネル領域にグラフィック効果を表示する動作を説明するための図である。ディスプレイ装置１００は、第１パネル領域１１１にはメイン映像を表示し、第２パネル領域１１２にはグラフィック効果を表示し、特別な視覚的効果を提供することができる。図１３（ａ）ないし図１３（ｃ）を参照すると、第１パネル領域１１１が写真またはアルバムのような視覚的効果を有するように、第２パネル領域１１２にグラフィック効果を表示することができる。なお、図１３（ｂ）および図１３（ｃ）を参照すると、第１パネル領域１１１と第２パネル領域１１２に互いに接続されるグラフィック効果３５を表示し、視覚的効果をより極大化することができる。図１３（ｄ）を参照すると、第２パネル領域１１２に複数の映像が重ねて見えるようにするグラフィック効果を表示することもできる。このように、第２パネル領域にグラフィック効果を表示することにより、ユーザに状況に合った特別な視覚的効果を提供することができる。
【００５４】
図１４は、第２パネル領域にメイン映像に関連する映像を表示する動作を説明するための図である。ディスプレイ装置１００は、第１パネル領域１１１にメイン映像をディスプレイし、第２パネル領域１１２にメイン映像に関連する多様な映像をディスプレイすることができる。図１４でのように、ユーザが写真を鑑賞する場合を例えると、第１パネル領域１１１に一つの写真をディスプレイし、残りの写真４５を第２パネル領域１１２にディスプレイすることができる。なお、図１３（ｂ）および図１３（ｃ）でのように、一部の写真５０は、第１パネル領域１１１と第２パネル領域１１２のいずれにも表示されることができる。一方、マルチアングルコンテンツのように、複数の映像を含む動画コンテンツの場合にも、メイン映像を第１パネル領域１１１にディスプレイし、残りの映像を第２パネル領域にディスプレイしてユーザに多様な映像を同時に提供することができる。
【００５５】
図１５は、第２パネル領域に予め設定されたウィジェットまたは予め設定されたグラフィック効果を表示する動作を説明するための図である。ディスプレイ装置１００は、第２パネル領域１１１に予め設定されたウィジェットまたは予め設定されたグラフィック効果を表示することができる。図１５（ａ）を参照すると、第２パネル領域１１２に天気情報を提供するウィジェット５５と日付および時間情報を提供するウィジェット６０がディスプレイされてよい。なお、現在の天気に対応するグラフィック効果も表示されてよい。図１５（ｂ）のように、日付および時間情報が繰り返し表示されたグラフィック効果が提供されてよい。そして、図１５（ｃ）のように、予め設定されたグラフィック効果を表示してディスプレイ装置１００を室内インテリアまたはデコレーションのために活用することもできる。図１５において説明したウィジェットまたは予め設定されたグラフィック効果等は、第１パネル領域１１１に表示される映像には関係ないため、第１パネル領域１１１の電源がオフになっている場合にも、独立して表示されてよい。
【００５６】
図１６は、第２パネル領域にメイン映像のうちの一部を表示する動作を説明するための図である。ディスプレイ装置１００はメイン映像に適用される画面の割合が第１パネル領域１１１がサポートする画面の割合と異なる場合、第２パネル領域１１２はメイン映像のうち、第１パネル領域１１１にディスプレイされる領域を除く残りの領域をディスプレイすることができる。図１６でのように、メイン映像が２１：９の画面の割合を有し、第１パネル領域が１６：９の画面の割合である場合、メイン映像の１６／２１は第１パネル領域１１１に、残りの５／２１は第２パネル領域１１２にディスプレイすることができる。第２パネル領域にメイン映像のうちの一部を表示する場合、第２パネル領域は第１パネル領域と同様に不透明に調節されてよい。
【００５７】
図１７ないし図１９は、第２パネル領域にメイン映像に関連する付加情報を表示する動作を説明するための図である。メイン映像に関連する付加情報は、放送局情報や放送番組名、メイン映像の放送時間および経過時間、メイン映像の製作会社、キャスト情報、メイン映像に登場する小道具情報、メイン映像に関連する広告、メイン映像に関連するニュース等、メイン映像に関連する全ての情報を含んでよい。
図１７を参照すると、第２パネル領域１１２にはディスプレイされる放送番組に関連する放送局情報、放送番組名等が表示されてよい。図１７でのように、サッカー試合が中継されている場合、第２パネル領域にはサッカー試合を中継する放送局名やサッカーリーグの名称およびサッカー試合に出場しているチーム名等が含まれてよい。なお、ディスプレイされる放送番組の総放送時間および経過時間等をテキストまたはイメージで表示することもできる。好適には、放送局情報や放送番組名等は第２パネル領域１１２のうちの第１パネル領域１１１の上部に表示されてよい。
【００５８】
図１８を参照すると、第２パネル領域１１２にはディスプレイされる放送番組そのものに対する情報が表示されてよい。図１８でのように、サッカー試合が中継されている場合、第２パネル領域には試合場内の選手の位置情報６１と、特定選手の写真とプロフィールに対する情報６２と、リーグ内の別のサッカー試合のスコア６３等が含まれてよい。なお、第２パネル領域を通じて試合を視聴している友達とオンラインチャットサービス６４またはビデオチャットサービス等が提供されてよい。
【００５９】
図１９を参照すると、第２パネル領域１１２にはディスプレイされるメイン映像に関連する付加情報がオブジェクトまたはアイコンの形態で表示されてよい。現在ユーザは遠隔制御装置２００を介して第２パネル領域１１２に表示されたオブジェクトまたはアイコンをスクロールしたり選択することができ、ユーザ命令に従って複数のオブジェクト（または、アイコン）のうちの一つにハイライト６５が表示されたり変更されてよい。ユーザがハイライトの表示されたオブジェクトまたはアイコンを選択すると、第１パネル領域１１１または第２パネル領域１１２に特定オブジェクトにまたはアイコンに対応する情報が具体的に表示されてよい。
【００６０】
図２０および図２１は、第２パネル領域にコンテンツリストを表示する動作を説明するための図である。図２０を参照すると、第２パネル領域１１２には、スポーツやニュース、ドラマ、ゲーム、ＳＮＳ、インターネット等の多様なコンテンツを含むコンテンツリスト７０が表示されてよい。特に、コンテンツリストは、第２パネル領域のうちの（ｃ）領域に表示されてよく、ユーザは遠隔制御装置２００を用いてコンテンツリストをスクロールしたり、複数のコンテンツリストのいずれか一つを選択することができる。ユーザ命令に従ってコンテンツリストのいずれか一つにハイライトが表示されたり変更されてよい。図２１を参照すると、コンテンツリスト７０は、第２パネル領域のうち、第１パネル領域１１１の上部に表示されてよい。
【００６１】
図２２および図２３は、第２パネル領域のうち（ｂ）領域および（ｃ）領域に付加情報が表示される動作を具体的に説明するための図である。ディスプレイ装置１００は、通常、第２パネル領域のうちの（ａ）領域のみをディスプレイし、必要な場合、（ｂ）領域または（ｃ）領域をディスプレイすることができる。具体的に、図２２（ａ）または図２３（ａ）のように、第２パネル領域のうち、（ｂ）領域または（ｃ）領域に表示する情報がある場合、第１パネル領域１１１と第２パネル領域のうち、（ｂ）領域または（ｃ）領域が対向する領域にハイライト７５が表示されて、表示する情報があることをユーザに報知することができる。ユーザが遠隔制御装置２００に（ｂ）領域または（ｃ）領域に情報を表示するためのユーザ命令（例えば、図１０（ｂ）のように遠隔制御装置２００の第１レイヤ２１０をスライドする動作）を入力する場合、図２２（ｂ）または図２３（ｂ）のように、第２パネル領域に付加情報が表示されてよい。
【００６２】
図２４は、第１パネル領域に表示されるメイン映像が別のコンテンツに変更される動作を説明するための図である。第１パネル領域に表示されるメイン映像は連続した動作に変更されてよい。図２４（ａ）は、図２０のように、第２パネル領域にコンテンツリストが表示された様子を示す。ユーザは、遠隔制御装置２００を用いてコンテンツリストをスクロールしたり、複数のコンテンツリストのいずれか一つを選択することができる。ユーザが複数のコンテンツリストの中の“ＣＮＮ  Ｎｅｗｓ”を選択した場合、図２４（ｂ）のようにコンテンツリスト“ＣＮＮ  Ｎｅｗｓ”がメイン映像が表示される第１パネル領域１１１の左側に移され、ＣＮＮ  Ｎｅｗｓの映像８０が表示されてよい。それに対応し、第１パネル領域１１１に表示されていたサッカー試合映像は左側に追い出されるようになる。その後、図２４（ｃ）および図２４（ｄ）のように、ＣＮＮ  Ｎｅｗｓの映像８０の大きさが大きくなり、第１パネル領域１１１の中間に移動し、それに対応して、サッカー試合映像は左側に次第に追い出されるようになる。最終的に、ＣＮＮ  Ｎｅｗｓの映像８０が第１パネル領域１１１と同じ大きさに大きくなり、サッカー試合映像がディスプレイ画面から消えるようになると、第１パネル領域に表示されるメイン映像がサッカー試合映像からＣＮＮ  Ｎｅｗｓの映像に変更されてよい。一方、図２４を参照しながら説明したメイン映像が変更される動作は、一実施形態に過ぎず、多様な方法でメイン映像が変更されてよい。
【００６３】
図２５は、第１パネル領域に表示されるメイン映像がメイン映像に関連する付加情報に変更される動作を説明するための図である。図２５（ａ）は、図１９のように、第２パネル領域にメイン映像に関連する付加情報がオブジェクト（または、アイコン）の形態でディスプレイされた様子を示す。ユーザが遠隔制御装置２００を用いてオブジェクトのうちの一つを選択することができ、ユーザがサッカー選手の一人が着用しているサッカーシューズを購入するために、サッカーシューズに対する商品情報を選択した場合、図２５（ｂ）のように、第１パネル領域にサッカーシューズに対する商品情報が表示されてよい。ただ、図２４と違って、ユーザはメイン映像そのものを別のコンテンツに変更したものではないため、メイン映像を引き続き視聴することができるように、第２パネル領域のうちの一部に縮小したメイン映像８５を表示することができる。図２４と類似するように連続した動作で、第１パネル領域および第２パネル領域に表示される映像が変更されてよい。なお、ユーザが遠隔制御装置２００を用いて縮小したメイン映像８５を選択すると、図２５（ｃ）のように、第１パネル領域１１１に再びメイン映像がディスプレイされてよい。
【００６４】
図２６は、第２パネル領域を通じてビデオチャットを行う動作を説明するための図である。ユーザがディスプレイ装置１００を利用している途中、他ユーザからビデオチャットが要求される場合、図２６（ａ）のように、第２パネル領域１１２に他ユーザからビデオチャットに招待されていることを示すメッセージ９０が表示されてよい。その後、ビデオチャット要求を許諾または拒絶するユーザ選択を入力されるためのＵＩが表示されてよい。ユーザが、ビデオチャット要求を許諾する場合、図２６（ｂ）のように、第２パネル領域１１２に相手の映像が表示されてビデオチャットサービスを利用できるようになる。なお、テキストチャットの場合にも、それと同様に動作することができ、図２６（ｃ）のように、第２パネル領域に会話の内容が表示されてテキストチャットサービスを利用できるようになる。その他にも、ＳＮＳに新たな書き込みが登録されたり、ユーザがお気に入りに追加した放送番組が始まる場合、ディスプレイ装置１００は第２パネル領域１１２にこのような事実を報知するメッセージを表示し、ユーザの選択によってＳＮＳサービスを提供したり、放送番組をディスプレイすることができる。
【００６５】
図２７は、映像の特性に対応するサウンドモードを提供し、第２パネル領域にグラフィック効果を表示する動作を説明する図である。一般的に、コンテンツの種類に応じて、それに要求されるサウンド特性が異なってくる。例えば、映像が視聴するときと、コンサート映像を視聴するときに求められるサウンド特性が異なってくる。第１パネル領域１１１に表示されるコンテンツに適したサウンドモードが現在のサウンドモードが異なる場合、図２７（ａ）のように、第２パネル領域１１２にサウンドモードを変更または選択することができることを報知するメッセージ９５が表示されてよい。ユーザがサウンドモードを変更するための命令を入力すると、図２７（ｂ）のように、第２パネル領域１１２に選択可能なサウンドモードリスト（または、オブジェクトやアイコン）が表示されてよい。このとき、ユーザの選択を容易にするために、第１パネル領域１１１にディスプレイされるコンテンツに適したサウンドモードにハイライト９６を表示することもできる。ユーザがいずれか一つのサウンドモードを選択した場合、第２パネル領域１１２に選択されたサウンドモードに対応するグラフィック効果が表示されてよい。図２７（ｃ）のように、出力されるサウンドに対応する音声グラフ９７が表示されたり、ユーザがコンサート映像を視聴する場合、図２７（ｄ）のように、コンサートの雰囲気を演出することができるグラフィック効果９８が表示されてよい。
【００６６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006635641.tif 000002
【図２】
0006635641.tif 000003
【図３】
0006635641.tif 000004
【図４】
0006635641.tif 000005
【図５】
0006635641.tif 000006
【図６】
0006635641.tif 000007
【図７】
0006635641.tif 000008
【図８】
0006635641.tif 000009
【図９】
0006635641.tif 000010
【図１０】
0006635641.tif 000011
【図１１】
0006635641.tif 000012
【図１２】
0006635641.tif 000013
【図１３】
0006635641.tif 000014
【図１４】
0006635641.tif 000015
【図１５】
0006635641.tif 000016
【図１６】
0006635641.tif 000017
【図１７】
0006635641.tif 000018
【図１８】
0006635641.tif 000019
【図１９】
0006635641.tif 000020
【図２０】
0006635641.tif 000021
【図２１】
0006635641.tif 000022
【図２２】
0006635641.tif 000023
【図２３】
0006635641.tif 000024
【図２４】
0006635641.tif 000025
【図２５】
0006635641.tif 000026
【図２６】
0006635641.tif 000027
【図２７】
0006635641.tif 000028